(57)【要約】【課題】収納及び交換機能を持つ修正テープを提供する。【解決手段】ケース本体１、修正テープのカートリッジ２、逆方向弾力機構３、及び定位機構４で構成され、修正テープのカートリッジ２の一端をケース本体１に挿入して結合し、逆方向弾力機構３に一つの固定パーツ３１を持つことで、ケース本体１の内部に結合する。又、固定パーツ３１を第一弾性ユニット３４に結合させることで、第一弾性ユニット３４に、修正テープのカートリッジ２の挿入方向と逆方向を呈するプッシュ弾力が生じされる。又、定位機構４に一つの押すパーツ４１を持つことで、ケース本体１の内部にラッチして設け、押すパーツ４１に第一止め塊４１２と第二止め塊４１３を設けることで修正テープの突出する塊２５と結合するので、収納及び交換機能を持つ修正テープが構成される。【選択図】図１
0003140607.tif 000002
【実用新案登録請求の範囲】
【請求項１】
ケース本体と、修正テープのカートリッジと、逆方向弾力機構と、定位機構とを含む収納及び交換機能を持つ修正テープであって、
前記ケース本体の前端には一つの引出口、その反対側にある後端には一つの挿入口が設けられ、
前記修正テープのカートリッジはインナーケース、ローラー、修正テープ用のテープ及び前端にあるテープの先端部を持つことで、前記修正テープのカートリッジを前記挿入口より前記ケース本体に挿入してスライド状態を呈させるので、前記テープの先端部が前記引出口より露出することができ、
前記逆方向弾力機構は、一つの固定パーツを持つことで、前記ケース本体の内部に結合し、又、前記固定パーツを第一弾性ユニットと結合させることで、前記第一弾性ユニットに、前記修正テープのカートリッジの挿入方向と逆方向を呈し、弾力でプッシュして修正テープのカートリッジを持つことになり、
前記定位機構は一つの押すパーツを持つことで、前記ケース本体の内部にラッチして設け、又、押すパーツが修正テープと隣接する面に第一止め塊と第二止め塊が設けられ、その反対する面に第二弾性ユニットを設けることで、第二弾性ユニットが押すパーツをプッシュすることで、第一止め塊と第二止め塊を修正テープのカートリッジとラッチすることができることを特徴とする、収納及び交換機能を持つ修正テープ。
【請求項２】
前記ケース本体は、相互に対応してマッチングする第一ケースと第二ケースを合わせることで、中空形状を呈させるとともに、第一ケース及び第二ケースの中に相互に対応する固定部を設けることで、前記固定部を逆方向弾力機構の固定パーツと結合させ、一つの相互に対応するラッチホールを持つことで、そのラッチホールを定位機構の押すパーツと結合することができることを特徴とする、請求項１に記載の収納及び交換機能を持つ修正テープ。
【請求項３】
前記修正テープのカートリッジでの選定された場所には一つの軸方向のコンベックス形状支柱が設けられるとともに、前記定位機構の固定パーツには一つの他の軸方向のコンベックス形状支柱が設けられ、前記他の軸方向のコンベックス形状支柱に第一弾性ユニットを結合することで、第一弾性ユニットの逆方向弾力が修正テープのカートリッジにある軸方向のコンベックス形状支柱をプッシュすることができることを特徴とする、請求項１に記載の収納及び交換機能を持つ修正テープ。
【請求項４】
前記修正テープのカートリッジでの選定された場所には一つの突出する塊が設けられ、前記突出する塊を前記定位機構の押すパーツの第一止め塊又は第二止め塊とラッチすることを特徴とする、請求項１に記載の収納及び交換機能を持つ修正テープ。
【請求項５】
前記押すパーツの両側には、ラッチロッドを設けることで、前記ケース本体に結合し、前記押すパーツが修正テープと隣接する面には第一止め塊と第二止め塊が設けられ、その反対する面にある第二弾性ユニットが本体の内壁及び押すパーツの間にプッシュされる方式で設けられることを特徴とする、請求項１に記載の収納及び交換機能を持つ修正テープ。
【請求項６】
前記押すパーツの一端には、一つの押すプレートがケース本体の外部まで伸びて設けられることを特徴とする、請求項１に記載の収納及び交換機能を持つ修正テープ。
【請求項７】
前記第一弾性ユニットは螺旋圧縮スプリングを使うものであることを特徴とする、請求項１に記載の収納及び交換機能を持つ修正テープ。
【請求項８】
前記第二弾性ユニットは螺旋圧縮スプリングを使うものであることを特徴とする、請求項１に記載の収納及び交換機能を持つ修正テープ。
【考案の詳細な説明】
【技術分野】
【０００１】
本考案は、文房具用品に係り、特に文書に塗布することで文書を修正することができる収納及び交換機能を持つ修正テープに関する。
【背景技術】
【０００２】
従来の修正テープは手紙、書類用の修正用品であり、その構造は普通一つの錐形中空のケースを持つものである。そのケースの内部に必要な修正テープのカートリッジを設けてある。又、その修正テープのカートリッジに別一つの簡単なケースを持ち、そのケースの上に二つのローラーが設けられ、その中での一つのローラーに塗布用の修正テープを巻いて設け、その修正テープ用のテープの上に粘着性の修正物を敷いて設け、その修正テープ用のテープを前端にある塗布器に巻いてから、ケースの内部にある別一つのローラーに巻くことで、従来の修正テープが構成される。更に、繰り返し利用できるため、業者は交換するための修正テープのカートリッジを提供することで、修正テープ用のテープに塗布された物質がなくなった場合、新しいカートリッジを交換することができる。
【０００３】
ところが、従来の修正テープのケースは、ほぼ上のケースと下のケースを合わせて構成するし、そのマッチングするラッチプレートをコンケーブホールと結合するので、修正テープのカートリッジを交換する場合、そのケースを取り外しにくい。更に、それを外すため、ラッチプレート及びコンケーブホール構造が壊されて使えなくなる場合もある。これによる、従来の修正テープを交換しにくい欠点があることははっきりわかる。又、修正テープのカートリッジの前端にある塗布器を常にケースの前端に露出するため、ぶつかって壊れやすいし、長期的にケースの外部に露出するので、修正テープ用のテープに塗布される物質が変質になる恐れがある。
【考案の開示】
【考案が解決しようとする課題】
【０００４】
本考案の主要な目的は収納及び交換機能を持つ修正テープを提供するものである。それは内部に特殊な機構を持つため、修正テープのカートリッジをケース本体にスライドさせて収納することができるので、簡単に修正テープのカートリッジを交換することができる。
【課題を解決するための手段】
【０００５】
上述の目的を達成するため、本考案は一つのケース本体、一つの修正テープのカートリッジ、一つの逆方向弾力機構、及び一つの定位機構で構成され、そのケース本体は中空形状であり、その前端に一つの引出口、その後端に一つの挿入口が設けられ、その修正テープのカートリッジが挿入口より、ケース本体に挿入してスライド状態を呈させることで、テープの先端部が引出口を露出することができる。その逆方向弾力機構に一つの固定パーツを持つことで、ケース本体の内部に結合する。又、その固定パーツを第一弾性ユニットと結合させることで、第一弾性ユニットに、修正テープのカートリッジの挿入方向と逆方向を呈する、弾力でプッシュする修正テープのカートリッジを持つことになる。その定位機構に一つの押すパーツを持つことで、ケース本体の内部にラッチして設ける。又、押すパーツが修正テープと隣接する面に第一止め塊と第二止め塊が設けられ、その反対する面に第二弾性ユニットを設けることで、第二弾性ユニットの弾力で押すパーツをプッシュすることで、第一止め塊と第二止め塊を修正テープの中での突出する塊とラッチすることができる。上述によって、逆方向弾力機構及び定位機構を使って、修正テープのカートリッジの収納及び交換を制御できる修正テープが構成される。
【０００６】
収納及び交換機能を持つ修正テープに関するものである。それはケース本体、修正テープのカートリッジ、逆方向弾力機構、及び定位機構で構成され、その修正テープのカートリッジの一端をケース本体に挿入して結合し、その逆方向弾力機構に一つの固定パーツを持つことで、ケース本体の内部に結合する。又、その固定パーツを第一弾性ユニットに結合させることで、第一弾性ユニットに、修正テープのカートリッジの挿入方向と逆方向を呈するプッシュ弾力が生じされる。又、その定位機構に一つの押すパーツを持つことで、ケース本体の内部にラッチして設け、その押すパーツに第一止め塊と第二止め塊を設けることで修正テープの突出する塊と結合するので、収納及び交換機能を持つ修正テープが構成される。
【考案を実施するための最良の形態】
【０００７】
添付図面の通り、本考案は収納及び交換機能を持つ修正テープに関するものである。それは一つのケース本体１、一つの修正テープのカートリッジ２、一つの逆方向弾力機構３及び一つの定位機構４で構成され、その中に、ケース本体１は図１及び図２の通り、それは相互に対応及びマッチングする第一ケース１１及び第二ケース１２を合わせることで中空形状を呈させる。ケース本体１の前端に一つの引出口１３が設けられ、その反対側にある後端に一つのより大きい挿入口１４が設けられ、又、第一ケース１１と第二ケース１２の中での選定された場所に相互に対応する固定部１５及び一つのラッチホール１６を設けてあり、その固定部１５はコンケーブスロット１５１を設けてある塊形状のものであり、これを利用して下記の逆方向弾力機構３を固定する。
【０００８】
修正テープのカートリッジ２は図１及び図２の通り、それは交換式のカートリッジであり、その中に一つのインナーケース２１を持ち、そのインナーケース２１の中に二つ又は二つ以上のローラーが設けられ、その中での一つのローラーに修正テープ用のテープ２２を巻くことで、修正テープ用のテープ２２の自由端を前端にあるテープの先端部２３に巻いてから、修正テープ用のテープ２２をインナーケース２１での別一つのローラーに巻く。又、インナーケース２１の外部での選定されたところに一つの軸方向のコンベックス形状支柱２４を設けてあり、その中でのある側に一つの突出する塊２５を設けることで、修正テープのカートリッジ２を挿入口１４より、ケース本体１に挿入してスライド状態を呈させる(図３及び図４の通り)ので、テープの先端部２３と局部の修正テープ用のテープ２２を出口引１３に露出することができる。
【０００９】
逆方向弾力機構３は図１及び図２の通り、その中にケース本体１に結合する固定パーツ３１が一つあり、その固定パーツ３１の両側にそれぞれ一つのラッチ塊３２を設けてあるので、ラッチ塊３２をケース本体１の中での固定部１５のコンケーブスロット１５１に固定し、その固定パーツ３１に一つの軸方向のコンベックス形状支柱３３を設けて、修正テープのカートリッジ２の軸方向のコンベックス形状支柱２４に合わせる。又、軸方向のコンベックス形状支柱３３に一つの第一弾性ユニット３４を結合させることで、第一弾性ユニット３４に修正テープのカートリッジ２の挿入方向と逆方向を呈するプッシュ弾力が生じられる。その第一弾性ユニット３４は螺旋圧縮スプリング(図２及び図５の通り)を使っても良い。その螺旋圧縮スプリングの一端を固定パーツ３１の軸方向のコンベックス形状支柱３３にはめて設けてあり、別の一端を修正テープのカートリッジ２の軸方向のコンベックス形状支柱２４にプッシュする方式で設けられる。
【００１０】
定位機構４は図１及び図２の通り、その中に一つの押すパーツ４１があり、その押すパーツ４１の両側にラッチロッド４１１を設けることで、ケース本体１の中でのラッチホール１６にラッチする。又、その押すパーツ４１が修正テープのカートリッジ２に隣接する第一止め塊４１２及び第二止め塊４１３を設けてあり、その反対する面に第二弾性ユニッ４２を設けてあり、その第二弾性ユニット４２は螺旋圧縮スプリングを使っても良い。それによって、第二弾性ユニット４２をケース本体１の内壁と押すパーツ４１の間にプッシュして設けることで、上述の第一止め塊４１２と第二止め塊４１３を修正テープのカートリッジ２の側面にある突出する塊２５とラッチする(図５の通り)。又、押すパーツ４１の別の一端に一つのケース本体１の挿入口１４外部まで伸ばす押すプレート４１４を設けることで、第一止め塊４１２と第二止め塊４１３を突出する塊２５から分離することを制御できる。
【００１１】
上述のケース本体１、修正テープのカートリッジ２、逆方向弾力機構３及び定位機構４の構造特徴及び組立関係の設計を利用して、収納及び交換機能を持つ修正テープが構成される。その応用は図４及び図５の通り、修正テープのカートリッジ２をケース本体１に挿入して、突出する塊２５及び定位機構４の第一止め塊４１２にラッチすることで、テープの先端部２３及び局部の修正テープ用のテープ２２を引出口１３に露出して手紙、書類などを修正することができる。更に、使用完了した場合、押すパーツ４１の押すプレート４１４を軽く押すだけで、第一止め塊４１２を突出する塊２５から離れることで、逆方向弾力機構３の第一弾性ユニット３４を利用して、修正テープのカートリッジ２を突出する塊２５が第二止め塊４１３に止められるまでに引っ込めさせる(図６の通り)ので、修正テープのカートリッジ２を収納状態に呈させる。又、修正テープのカートリッジ２を交換する場合、改めて押すパーツ４１を動かせて、第二止め塊４１３を突出する塊２５から離れることで(図７の通り)、簡単に古い修正テープのカートリッジ２を取り外すことができる。
【図面の簡単な説明】
【００１２】
【図１】本考案の修正テープの構造を分解する状態の説明図
【図２】本考案の修正テープの局部構造を分解する状態の説明図
【図３】本考案の修正テープのカートリッジを分解する状態の説明図
【図４】本考案の修正テープを完全に組み立てた状態の説明図
【図５】本考案の修正テープを完全に組み立てた状態の断面図
【図６】本考案の修正テープを実施に応用する場合の動作に関する説明図（一）
【図７】本考案の修正テープを実施に応用する場合の動作に関する説明図（二）
【符号の説明】
【００１３】
１      ケース本体
１１    第一ケース
１２    第二ケース
１３    引出口
１４    挿入口
１５    固定部
１５１  コンケーブスロット
１６    ラッチホール
２      修正テープのカートリッジ
２１    インナーケース
２２    修正テープ用のテープ
２３    テープの先端部
２４    軸方向のコンベックス形状支柱
２５    突出する塊
３      逆方向弾力機構
３１    固定パーツ
３２    ラッチ塊
３３    軸方向のコンベックス形状支柱
３４    第一弾性ユニット
４      定位機構
４１    押すパーツ
４１１  ラッチロッド
４１２  第一止め塊
４１３  第二止め塊
４１４  押すプレート
４２    第二弾性ユニット
【図１】
0003140607.tif 000003
【図２】
0003140607.tif 000004
【図３】
0003140607.tif 000005
【図４】
0003140607.tif 000006
【図５】
0003140607.tif 000007
【図６】
0003140607.tif 000008
【図７】
0003140607.tif 000009